(57)【要約】      （修正有）【課題】フレーム上において、多層のパネル収納空間が形成される折り畳み式軽食堂車の構造を提供する。【解決手段】主として、二つの外フレーム１１，１２と内フレーム１３からなるフレーム１０と、二つの内フレームの上端に設けられる係合部材３０と、内フレームの直立棒１３０上にスリーブ４０に枢着される二つの結合棒４１，４２と、二つの外フレームの上端と二つの係合部材との間に枢着される上パネルセット５０と、二つの結合棒により二つの外フレームの底端の近くに枢着され、ボルトにより、内フレーム上に枢着される下パネルセット６０と、が備えられ、その特徴は、上記上下パネルセットの間に、少なくとも一つの中間パネルセット７０が設けられ、上記中間パネルセットが、二つのパネルを、対向して組み立てることからなり、その対向して組み立てる辺の両側に、内フレームにロックされる枢着シートが設けられ、他の二つのパネルの外側端が、二つの外フレームに枢着される。【選択図】図１
0003146007.tif 000002
【実用新案登録請求の範囲】
【請求項１】
主として、二つの略Ｕ形状の外フレームと、二つの外フレーム内に組み立てられて略Ｕ形状の内フレームと、二つの外フレームの底端に、それぞれ、設けられる二つの足車とが備えられるフレームと、
二つの内フレームの上端に設けられる係合部材と、
２組の内フレームの直立棒上のスリーブに枢着される二つの結合棒と、
二つの外フレームの上端と二つの係合部材との間に枢着される上パネルセットと、
二つの結合棒により二つの外フレームの底端の近くに枢着され、ボルトにより内フレーム上に枢着される下パネルセットと、が備えられる、ことを特徴とする折り畳み式軽食堂車の構造。
【請求項２】
上記フレームの二つの略Ｕ形状の外フレームが、直角に曲がられ、その湾曲された位置の近くの底端に、足車が固定されるため足車座が設けられることを特徴とする請求項１に記載の折り畳み式軽食堂車の構造。
【請求項３】
上記中間パネルセットの二つのパネルの周りにおいて、対向して隣接する辺を除いて、棒フレームが設けられることを特徴とする請求項１に記載の折り畳み式軽食堂車の構造。
【考案の詳細な説明】
【技術分野】
【０００１】
本考案は、折り畳み式軽食堂車の構造に関し、特に、フレーム上において、多層のパネル収納空間が形成される折り畳み式軽食堂車構造に関する。
【背景技術】
【０００２】
従来の折り畳み式軽食堂車は、上下パネルセットだけを有し、このような折り畳み式軽食堂車の上下パネルセット同士の間において、大きい空間が使用されないため、業者により、上下パネルセットの間に、バスケット等の構造が追加されて、使用空間を増加するが、軽食堂車に、折り畳める作用を有するため、そのバスケットは、フレームの半分空間に設計されることにより、折り畳むことができ、そのため、利用できる空間が不足になる。
【０００３】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００４】
本考案の主な目的は、フレーム上に、多層のパネル収納空間が形成される折り畳み式軽食堂車の構造を提供する。
【課題を解決するための手段】
【０００５】
請求項１の考案は、主として、二つの略Ｕ形状の外フレームと、二つの外フレーム内に組み立てられて略Ｕ形状の内フレームと、二つの外フレームの底端に、それぞれ、設けられる二つの足車と、が備えられるフレームと、二つの内フレームの上端に設けられる係合部材と、２組の内フレームの直立棒に枢着される二つの結合棒と、二つの外フレームの上端と二つの係合部材との間に枢着される上パネルセットと、二つの結合棒により二つの外フレームの底端の近くに枢着され、ボルトにより内フレーム上に枢着される下パネルセットと、が備えられる、ことを特徴とする折り畳み式軽食堂車の構造である。
【０００６】
請求項２の考案は、上記フレームの二つの略Ｕ形状の外フレームが、直角に曲がられ、その湾曲された位置の近くの底端に、足車が固定されるため足車座が設けられることを特徴とする請求項１に記載の折り畳み式軽食堂車の構造である。
【０００７】
請求項３の考案は、上記中間パネルセットの二つのパネルの周りにおいて、対向して隣接する辺を除いて、棒フレームが設けられることを特徴とする請求項１に記載の折り畳み式軽食堂車の構造である。
【０００８】
以下、図面を参照しながら、本考案の特徴や技術内容について、詳しく説明するが、それらの図面等は、参考や説明のためであり、本考案は、それによって制限されることが無い。
【考案を実施するための最良の形態】
【０００９】
図１と２を参照しながら、本考案は、二つの略Ｕ形状の外フレーム１１、１２と、二つの外フレーム１１、１２内に組み立てられて略Ｕ形状の内フレーム１３と、二つの外フレーム１１、１２の底端に、それぞれ、二つの足車２０とが備えられるフレーム１０と、二つの内フレーム１３の上端に設けられる係合部材３０と、２組の内フレーム１３の直立棒１３０に枢着される上のスリーブ４０に枢着される二つの結合棒４１、４２と、二つの外フレーム１１、１２の上端と二つの係合部材３０との間に枢着される上パネルセット５０と、二つの結合棒４１、４２により二つの外フレーム１１、１２の底端の近く荷枢着され、ボルト８０により内フレーム１３上に枢着される下パネルセット６０と、が備えられ、上記上下パネルセット５０、６０の間に、少なくとも一つの中間パネルセット７０が設けられ、上記中間パネルセット７０が、二つのパネル７１、７２を、対向して組み立てることからなり、その対向して組み立てる辺の両側に、内フレーム１３の直立棒１３０にロックされる突出状枢着シート７１０、７２０が設けられ、また、他の二つのパネル７１、７２の外側端が、二つの外フレーム１１、１２に枢着され、これにより、フレーム１０上において、多層のパネル収納空間が形成される。
【００１０】
以下、図面を参照しながら、本考案に係る構造特徴や技術手段及び予期の効果について、具体に説明する。
【００１１】
図３のように、本考案に係る折り畳み式軽食堂車は、使用する時、各層のパネルセット５０、６０、７０が、平面状にフレーム１０上に展開され、この時、枢着するための外フレーム１１、１２と内フレーム１３が、最大の間隔で展開され、また、内フレーム１３が、同じ高さで、二つの外フレーム１１、１２の中間に位置し、同時に、内フレーム１３の二つの直立棒１３０上に枢着された二つの結合棒４１、４２のスリーブ４０が、二つの直立棒１３０の上端に位置して、その上端の係合部材３０と係合し、また、スリーブ４０上に枢着される二つの結合棒４１、４２の下部が、開いて下パネルセット６０の二つのパネル６１、６２の外側に枢着され、下パネルセット６０の二つのパネル６１、６２の内側において、畳み合う位置に、内フレーム１３とボルトで枢着する枢着シートが形成され、また、二つのパネル５１、５２からなる上パネルセット５０の対向して隣接する辺に、それぞれ、内フレーム１３の上端にある係合部材３０に枢着される二つの枢着シート５１０、５２０が設けられ、その二つのパネル５１、５２の外側辺が、四つのボルト８０で、外フレーム１１、１２に枢着され、また、上記中間パネルセット７０の二つのパネル７１、７２の対向して接合する辺にある枢着シート７１０、７２０が、二つのボルト８０で、内フレーム１３の直立棒１３０に枢着され、その二つのパネル７１、７２の外側端が、四つのボルト８０で、二つの外フレーム１１、１２に枢着され、これにより、本考案を折り畳む時、スリーブ４０上に係合した係合部材３０をリリースしてから、上へ引き上げると、内フレーム１３と二つの外フレーム１１、１２上に枢着した各パネルセット５０、６０、７０が、同期に連動されて内へ折り畳まれる（図４のように）。
【００１２】
また、上記フレームの二つの略Ｕ形状の外フレーム１１、１２は、直角に曲げられ、その湾曲された位置の底端に、足車２０を固定するための足車座１１０、１２０が設けられ、これにより、足車２０が、より、フレーム１０の外側辺に近づくことができるため、折り畳み式軽食堂車の安定性が向上される。
【００１３】
また、図５を参照しながら、本考案の他の実施例によれば、その中間パネルセット７０の二つのパネル７１、７２の周りにおいて、対向して隣接する辺を除いて、棒フレーム７１１、７２１が設けられ、これにより、収納された品物は、容易に落ちることがない。
【００１４】
以上のように、本考案に係る折り畳み式軽食堂車の構造によれば、有効に、軽食堂車の収納空間が不足である欠点を解消できる。
【００１５】
そのため、本考案は、より進歩的かつより実用的で、法に従って実用新案登録請求を出願する。
【００１６】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００１７】
【図１】本考案の立体展開概念図
【図２】本考案の一部の立体分解図
【図３】本考案の組立ての側面概念図
【図４】本考案を畳み合う時の概念図
【図５】本考案の他の実施例の立体図
【符号の説明】
【００１８】
１０  フレーム
１１  前フレーム
１２    後フレーム
１３    内フレーム
１３０  直立棒
２０    足車
３０    係合部材
４０    スリーブ
４１    結合棒
４２    結合棒
５０    上パネルセット
５１    パネル
５１０  枢着シート
５２    パネル
５２０  枢着シート
６０    下パネルセット
６１    パネル
６１０  枢着シート
６２    パネル
６２０  枢着シート
７０    中間パネルセット
７１    パネル
７１０  枢着シート
７１１  棒フレーム
７２    パネル
７２０  枢着シート
７２１  棒フレーム
８０    ボルト
【図１】
0003146007.tif 000003
【図２】
0003146007.tif 000004
【図３】
0003146007.tif 000005
【図４】
0003146007.tif 000006
【図５】
0003146007.tif 000007